(57)【要約】【課題】  効率的で信頼性の高い在庫管理を行えるようにする。【解決手段】  外部から受け入れた景品を搬送する搬送手段Ｃと、この搬送手段Ｃで搬送される景品から情報を読み取る情報読取り部Ｒとが備えられている。搬送手段Ｃで搬送される景品Ｇは、読取り部Ｒで読み取られた情報に基づいて、選別手段Ｓによって種類別に選別収納される。制御ユニットＵは、（１）読取り部Ｒで読み取った情報に基づいて、受け入れた景品の種類別の数量を計数し、（２）その種類別の数量を受入景品情報として記録し、（３）払出し手段Ｔによって払い出された景品の種類別の数量を払出景品情報として記録し、（４）記録された受入景品情報および払出景品情報に基づいて、景品の種類別の在庫数を算出し、（５）算出された在庫数に基づいて、在庫数が所定の最低基準値を下回った場合に、その旨を報知手段で外部に報知する。【選択図】  図２
2005131080.tif 000002
【特許請求の範囲】
【請求項１】
景品の種類を特定可能な情報を記録した情報記録部の設けられた景品を払い出すための景品払出しシステムであって、
外部から景品を受け入れるための受入部と、
この受入部から受け入れた景品を搬送する搬送手段と、
この搬送手段によって搬送される景品の情報記録部から情報を読み取る読取り手段と、
この読取り手段で読み取った情報に基づいて、外部から受け入れた景品の種類別の数量を計数する計数手段と、
この計数手段によって計数された景品の種類別の数量を受入景品情報として記録する記録手段と、  
前記読取り手段で読み取った情報に基づいて、前記搬送手段によって搬送される景品を種類別に選別する選別手段と、
この選別手段によって選別された景品を種類別に収納する複数の収納部と、
各収納部に収納された景品を、随時必要な数だけ払い出す払出し手段と、
を備えたことを特徴とする景品払出しシステム。
【請求項２】
複数の景品を集積可能な集積部と、
この集積部から前記受入部へ景品を１つずつ繰り出す繰出し手段と、
を更に備えたことを特徴とする請求項１記載の景品払出しシステム。
【請求項３】
前記記録手段は更に、前記払出し手段によって払い出された景品の種類別の数量を払出景品情報として記録し、
前記記録手段に記録された前記受入景品情報および前記払出景品情報に基づいて、各収納部に収納されている景品の在庫数を算出する算出手段を更に備えた、ことを特徴とする請求項１又は２記載の景品払出しシステム。
【請求項４】
前記算出手段によって算出されたいずれかの収納部の在庫数が所定の最低基準値を下回った場合に、その旨を外部に報知する報知手段を更に備えた、ことを特徴とする請求項３記載の景品払出しシステム。
【発明の詳細な説明】
【技術分野】
【０００１】
本発明は、例えばパチンコ玉等の遊技媒体と交換される景品を払い出すための景品払出しシステムに係り、特に景品の補充に関連した在庫管理のための改良に関する。
【背景技術】
【０００２】
従来、上記のような景品払出しシステム（例えば特許文献１参照）では、景品の補充に関連した作業が全て人手によって行われている。すなわち、係員が、補充する景品を種類別にカセットに手詰めし、そのカセットを払出し機本体に装填するようにしている。また、補充した景品の数（入庫数）は、係員がテンキー等によって手動で入力するようになっている。そして、入力された景品入庫数から払い出された景品の数を自動的に差し引いた数を在庫数とし、その在庫数に基づいて在庫管理が行われている。
【特許文献１】特開平９−３８３２８号公報
【発明の開示】
【発明が解決しようとする課題】
【０００３】
上述したような従来の景品払出しシステムには、次のような問題点がある。すなわち、入庫数を係員が手動で入力しているが、特に営業時間中は係員が多忙であるため、入力作業を失念し、或いは省略してしまうこともある。また、実際とは異なる数が入力されてしまう場合や、抜き取り等の不正行為による在庫数の減少もあり得る。
【０００４】
それらの場合、一般に在庫数が実際の数と食い違ってしまうことになるが、実際に営業終了後の棚卸し等を行ってチェックをしなければ、その内容を確かめることができない。このため、営業中の予期しない在庫不足等によって、景品交換業務に支障をきたすおそれもある。また、営業終了後の棚卸し作業も、払出し機本体からカセットを取り出して在庫数を確認する手作業が必要となり、煩雑で精度の期待できないものとなる。従って、従来の景品払出しシステムにおける景品の在庫管理は、効率が悪く信頼性も低いものとなっている。
【０００５】
本発明は、このような点を考慮してなされたものであり、効率的で信頼性の高い在庫管理を行えるような景品払出しシステムを提供することを目的とする。
【課題を解決するための手段】
【０００６】
第１の発明は、景品の種類を特定可能な情報を記録した情報記録部の設けられた景品を払い出すための景品払出しシステムであって、外部から景品を受け入れるための受入部と、この受入部から受け入れた景品を搬送する搬送手段と、この搬送手段によって搬送される景品の情報記録部から情報を読み取る読取り手段と、この読取り手段で読み取った情報に基づいて、外部から受け入れた景品の種類別の数量を計数する計数手段と、この計数手段によって計数された景品の種類別の数量を受入景品情報として記録する記録手段と、  前記読取り手段で読み取った情報に基づいて、前記搬送手段によって搬送される景品を種類別に選別する選別手段と、この選別手段によって選別された景品を種類別に収納する複数の収納部と、各収納部に収納された景品を、随時必要な数だけ払い出す払出し手段と、を備えたことを特徴とする景品払出しシステムである。
【０００７】
この第１の発明によれば、受入部から受け入れた景品が各収納部に自動的に補充され、補充された景品の種類別の数量も受入景品情報として自動的に記録される。このように、景品の補充時に自動的に記録される受入景品情報に基づいて在庫管理を行うことで、効率的で信頼性の高い在庫管理を行うことが可能となる。
【０００８】
第２の発明は、第１の発明において、複数の景品を集積可能な集積部と、この集積部から前記受入部へ景品を１つずつ繰り出す繰出し手段と、を更に備えたものである。
【０００９】
この第２の発明によれば、景品補充の作業効率を向上させることができる。
【００１０】
第３の発明は、第１又は第２の発明において、前記記録手段は更に、前記払出し手段によって払い出された景品の種類別の数量を払出景品情報として記録し、前記記録手段に記録された前記受入景品情報および前記払出景品情報に基づいて、各収納部に収納されている景品の在庫数を算出する算出手段を更に備えたものである。
【００１１】
この第３の発明によれば、各収納部に収納されている景品の在庫数を、算出手段の算出結果によって随時確認することができる。
【００１２】
第４の発明は、第３の発明において、前記算出手段によって算出されたいずれかの収納部の在庫数が所定の最低基準値を下回った場合に、その旨を外部に報知する報知手段を更に備えたものである。
【００１３】
この第４の発明によれば、報知手段によって景品の補充を促すことで、営業中の在庫不足等を防止することができる。
【発明を実施するための最良の形態】
【００１４】
次に、図面を参照して本発明の一実施形態について説明する。図１乃至図７は本発明による景品払出しシステムの実施の形態を示す図である。以下、本実施形態における《システム構成》、《景品払出し機の構成および動作》、《作用効果》、および《変形例》について順次説明する。
【００１５】
《システム構成》
〈構成の概要〉
図１に示すように、本実施形態の景品払出しシステムは、パチンコ店等の遊技場における事務所から景品カウンタに渡って設けられている。このシステムは、事務所側に設置された管理コンピュータＭと、景品カウンタ側に設置されたＰＯＳ端末Ｐおよび景品払出し機Ｋとを備えている。景品払出し機ＫはＰＯＳ端末Ｐに接続された制御ユニットＵを有している。ＰＯＳ端末Ｐは管理コンピュータＭに接続されている。なお、管理コンピュータＭには、複数のＰＯＳ端末Ｐおよび景品払出し機Ｋを接続することができる。
【００１６】
図７には、景品払出し機Ｋによって払い出される景品の一例である特殊景品Ｇが示されている。特殊景品とは、遊技場において遊技客が獲得したパチンコ玉等の遊技媒体と交換され、遊技場外の景品交換所等において買い上げられる景品である。図７に示す景品Ｇは、プラスチック等でできた厚手で矩形のカード状をなしている。この景品Ｇには、景品の種類（設定交換価値）を特定可能な情報を記録した情報記録部Ｉが設けられている。情報記録部Ｉとしては、例えば特殊景品Ｇの内部に埋め込まれた非接触ＩＣチップ（ＲＦＩＤ（Radio Frequency Identification））が用いられる。
【００１７】
一般に特殊景品Ｇは、設定された交換価値によって色彩等の外観の異なるものが用いられる。本実施形態では、５０００円景品、１０００円景品および２００円景品の３種類を用いる場合について説明する。なお、特殊景品Ｇには、非接触ＩＣチップＩ等の他、設定された交換価値に応じてメダル等の有価物品が埋め込まれることもある。
【００１８】
図２に示すように、景品払出し機Ｋの制御ユニットＵは、主制御部１００と、この主制御部１００に接続された通信部１０１、記憶部１０２および計数部（計数手段）１０３とを有している。通信部１０１は、ＰＯＳ端末Ｐ（図１）との間で制御信号やデータ等の通信を行うための機能を有する。記憶部１０２は、制御ソフト等を格納する他、後述する景品情報等を記録する記録手段としての機能を有する。
【００１９】
景品払出し機Ｋは、図３に示すような投出ユニット１を、機体の幅方向に３つ並べて備えている。これらの投出ユニット１は、図４に示すように、５０００円景品用のユニット１−１、１０００円景品用のユニット１−２および２００円景品用のユニット１−３に分けられる。図３および図４に示すように、景品払出し機Ｋは、３つの投出ユニット１を収納するキャビネット２を備え、このキャビネット２の一側に開閉扉２０が設けられている。なお、キャビネット２に扉２０のある側（図３および図４の左側）が、景品払出し機Ｋの前側である。
【００２０】
各投出ユニット１は、景品Ｇを収納する収納部としての前後２つのカセット４と、これらのカセット４に収納された景品Ｇを随時必要な数だけ払い出す払出し手段Ｔ（図２）とを備えている。その払出し手段Ｔは、後述するように景品Ｇを投出するための、投出用リフト機構６、繰出し機構７、エレベータ機構８、スライド機構９、送出し機構３等によって構成される。
【００２１】
図４および図５に示すように、キャビネット２には、外部から景品Ｇを受け入れるための受入口（受入部）２６が形成されている。この受入口２６に対応して、複数の景品Ｇを集積可能な集積部２８が設けられている。また、集積部２８から受入口２６へ景品Ｇを１枚ずつ繰り出す繰出し手段Ｄが設けられている。さらに、受入口２６から受け入れた景品Ｇを略水平に搬送する搬送手段Ｃ（図２）として、図４および図５に示す前後方向の第１搬送系Ｃ１と、図４および図６に示す左右方向の２つの第２搬送系Ｃ２とが備えられている。図４に示すように、第１搬送系Ｃ１から分岐した２つの第２搬送系Ｃ２が、それぞれ景品払出し機Ｋの前側と後側に配置されている。
【００２２】
図４および図５に示すように、第１搬送系Ｃ１の上流側には、第１搬送系Ｃ１によって搬送される景品Ｇの情報記録部Ｉ（図７）から情報を読み取る情報読取り部（読取り手段）Ｒ（例えば、ＲＦＩＤ用アンテナ）が設けられている。また、図４および図６に示すように、各第２搬送系Ｃ２には、読取り部Ｒで読み取った情報に基づいて、第２搬送系Ｃ２によって搬送される景品Ｇを種類別に選別するための選別手段Ｓ（Ｓ１，Ｓ２，Ｓ３）が設けられている。
【００２３】
この場合、選別手段Ｓによって選別された景品Ｇが各カセット４に種類別に収納されるよう、５０００円景品用のユニット１−１、１０００円景品用のユニット１−２および２００円景品用のユニット１−３に対応して、それぞれ専用の選別手段Ｓ１、Ｓ２およびＳ３が設けられている（図４）。詳細については後述するが、選別手段Ｓ（Ｓ１，Ｓ２，Ｓ３）による景品Ｇの選別は、それらの上流側に配置された到達検知部Ａとの連係においてなされる。
【００２４】
図３に示すように、キャビネット２上には、景品払出し機Ｋの操作や各種情報の表示を行うための表示・操作部２４が設けられている。この表示・操作部２４は、特に係員向けの情報を表示するための係員用表示部２４ａを含んでいる。そして、景品払出し機Ｋは、例えば開閉扉２０、集積部２８および表示・操作部２４のある（特に係員用表示部２４ａに面した）前側を装置の操作等を行う係員側とし、後ろ側を、払い出された景品Ｇを受け取る客側として運用される。
【００２５】
図２に示すように、上記の繰出し手段Ｄ、搬送手段Ｃ、情報読取り部Ｒ、到達検知部Ａ、選別手段Ｓ、払出し手段Ｔ、および表示・操作部２４は、それぞれ制御ユニットＵの主制御部１００に接続されている。
【００２６】
〈在庫管理に関する構成〉
図２に示す景品払出し機の制御ユニットＵは、以下のような制御を行うように構成されている：
（１）情報読取り部Ｒで読み取った情報に基づいて、外部から受け入れた景品の種類別の数量を計数部１０３で計数し、
（２）この計数部１０３で計数された景品の種類別の数量を、記憶部１０２で「受入景品情報」として記録し、
（３）払出し手段Ｔによって払い出された景品の種類別の数量を、記憶部１０２で「払出景品情報」として記録し、
（４）記憶部１０２に記録された受入景品情報および払出景品情報に基づいて、主制御部（算出手段）１００で、各投出ユニット１−１，１−２，１−３のカセット４（図４）に収納されている景品の在庫数（すなわち景品の種類別の在庫数）を算出し、
（５）算出された在庫数に基づいて、いずれかの投出ユニット１−１，１−２，１−３のカセット４における在庫数が所定の最低基準値を下回った場合に、その旨を報知手段で外部に報知する。
【００２７】
この場合、（５）の報知手段としては、景品払出し機Ｋで、係員用表示部２４ａにおける画像や文字の表示、ランプの点灯・点滅等による視覚的な報知を行ったり、ブザー音や合成音声等による聴覚的な報知を行ったりするものが考えられる。また、これに代えて、或いは、これに加えて、通信部１０１を通じて制御信号を送信することで、図１に示すＰＯＳ端末Ｐや管理コンピュータＭ（それらの周辺機器を含む）において視覚的・聴覚的な報知を行うものも考えられる。また、在庫数の最低基準値としては、例えば景品の種類別の（景品交換処理１回当たりの）平均払出し数を用いることができる。
【００２８】
なお、上記（４）で算出された在庫数も記憶部１０２で記録される。そして、記憶部１０２で記録される受入景品情報、払出景品情報および在庫数は、係員用表示部２４ａ等に常時（或いは、呼出操作等に応じて随時）表示される。
【００２９】
景品払出し機Ｋにおける景品の補充および払出し等に関する具体的な構成および動作については、次に説明する。
【００３０】
《景品払出し機の構成および動作》
〈払出し機の全体構成〉
まず、図４、図５および図６を参照して、各投出ユニット１の内部を除く、払出し機全体に関連した具体的構成について説明する。
【００３１】
図５に示すように、集積部２８は、その上部開口２９から受け入れた景品Ｇを、上下一列の状態で集積できるようになっている。この集積部２８の底部に、集積部２８から受入口２６へ景品Ｇを１枚ずつ繰り出す無端ベルトｄ１を有した繰出し手段Ｄが設けられている。この無端ベルトｄ１には、最低位の景品Ｇの後縁に係合してこれを押し出すための凸部ｄ２が形成されている。
【００３２】
受入口２６の前後には、集積部２８内の景品Ｇを検知する集積センサＥ１と、受入口２６からの景品Ｇの導入を検知する導入センサＥ２とが、それぞれ配置されている。第１搬送系Ｃ１は、受入口２６から受け入れた景品Ｇの底面を支持する通路底板ｂ１と、この底板ｂ１に沿って景品Ｇを搬送する左右一対の搬送ベルトｃ１とを有している。情報読取り部Ｒは、例えば一対の搬送ベルトｃ１同士の間に配置される。
【００３３】
図６に示すように、各第２搬送系Ｃ２は、第１搬送系Ｃ１から受け渡された景品Ｇの底面を支持する通路底板ｂ２と、この底板ｂ２に沿って景品Ｇを搬送する左右一対の搬送ベルトｃ２とを有している。各到達検知部Ａは、例えば一対の搬送ベルトｃ２同士の間に配置される。第２搬送系Ｃ２に沿って配置される各選別手段Ｓは、（後述するカセット４の補充位置に対応して）底板ｂ２に形成された選別孔ｓ１と、この選別孔ｓ１に設けられた開閉板ｓ２とで構成されている。各選別手段Ｓの開閉板ｓ２は、選別孔ｓ１を閉じて底板ｂ２と略面一となる閉鎖位置と、選別孔ｓ１の上流側を開くように先端側が底板ｂ２から持ち上げられる開放位置との間で（ソレノイド等の駆動により）揺動するようになっている。
【００３４】
各選別手段Ｓにおいて、開閉板ｓ２が閉鎖位置にあるときは、景品Ｇが選別孔ｓ１上をそのまま通過する。そして、当該選別手段Ｓにて選別すべき種類の景品Ｇを、その直前の到達検知部Ａが検知したタイミングで、開閉板ｓ２を開放位置に揺動させることで、当該景品Ｇを選別孔ｓ１から落下させることができる。選別孔ｓ１から落下した景品Ｇは、補充位置にあるカセット４内で、後述する補充用リフト機構６’のリフト板６０上に集積されて行く。なお、図４に示す最も下流側のユニット１−３用の選別手段Ｓ３は、開閉板ｓ２を省略して選別孔ｓ１のみで構成することができる。
【００３５】
図３に示すように、キャビネット２の上面部には、投出された景品Ｇを載置して払出しに供するための上板２２が設けられている。この上板２２上には、前側の中央に上記表示・操作部２４が設けられ、その後方（前後方向の略中央）には、各投出ユニット１に対応するスライド蓋３０が左右に間隔を置いて配置されている。
【００３６】
また、各スライド蓋３０に対応して、上板２２を貫通して下方へ延びる景品通路２６が形成されている。また、各景品通路２６に対応して、スライド蓋３０を含む送出し機構３が設けられている。各送出し機構３は、モータ３２によって駆動される無端ベルト４３と、このベルト３４に対してスライド蓋３０を連結する連接棒３６とを有している。これにより、各送出し機構３は、スライド蓋３０を前後にスライドさせて景品通路２６の開口部を開閉できるようになっている。
【００３７】
〈投出ユニットの構成〉
次に、主に図３を参照して、各投出ユニット１の具体的構成について説明する。
【００３８】
図３に示すように、投出ユニット１は、景品Ｇを上下一列の集積状態で収納する前後２つのカセット４と、これらのカセット４を保持するカセットキャリア５とを有している。これらのカセット４およびカセットキャリア５は、投出ユニット１の外形を画成する筐体１０内に収納されている。
【００３９】
投出ユニット１の筐体１０内には、各カセット４，４の投出位置（内側の位置）に対応する投出用リフト機構６，６と、同じく補充位置（外側の位置）に対応する補充用リフト機構６’，６’とが設けられている。各リフト機構６（６’）は、カセット４内で景品Ｇを載置して上昇（下降）すると共にカセット４内から下方へ退避可能なリフト部材６０を有し、そのリフト部材６０を無端ベルト等によって昇降駆動するように構成されている。これに対応して、各カセット４は、上面が全開放されている他、底面およびリフト機構６，６’側の一側面も中央部が開放されている。
【００４０】
筐体１０内の底部には、各カセット４を補充位置と投出位置との間で移動させるために、カセットキャリア５を前後方向に移動させるスライド機構９が設けられている。このスライド機構９は、例えばモータ駆動のラックアンドピニオン機構等によって構成される。また、投出位置にある各カセット４の上部と連通するように一対の受入部１６が設けられている。各受入部１６は、投出用リフト機構６によって上昇する景品Ｇをカセット４の上部から受け入れて、更に上方まで案内するためのものである。
【００４１】
各受入部１６の上方には、投出用リフト機構６によって上昇された景品Ｇを繰り出す繰出し機構７が設けられている。この繰出し機構７は、引出し機構部７Ａと押出し機構部７Ｂとで構成されている。また、２つの受入部１６同士の間には、各繰出し機構７によって繰り出された景品Ｇを一時保留する保留部１８が、上記景品通路２６に対応して筐体１０上面に開口するように設けられている。
【００４２】
繰出し機構７のうち、引出し機構部７Ａは、対向ローラによって景品Ｇを厚さ方向に挟んで受入部１６から保留部１８へ引き出すように構成されている。また、押出し機構部７Ｂは、引出し機構部７Ａまで景品Ｇを送り出すために、当該景品Ｇの後端部を押し出すよう一定行程で往復運動する部分を有している。
【００４３】
また、保留部１８に対応して、そこに保留された景品Ｇを外部へ投出するためのエレベータ機構８が設けられている。このエレベータ機構８は、保留部１８に保留される景品Ｇの底部を支持する支持板８０を有し、その支持板８０を無端ベルト等によって昇降駆動するように構成されている。
【００４４】
なお、受入部１６の前後面は一対の側板１６ｐによって画成されている。また、保留部１８の前後面は、下部が一対の側板１８ｐによって、上部が一対の揺動板１８ｓによって、それぞれ画成されている。各揺動板１８ｓは、対応する繰出し機構７による景品Ｇの繰り出しに応じて、保留部１８内側へ揺動するように設けられている。
【００４５】
次に、筐体１０前面の下側を構成する前板１２に、カセットキャリア５を摺動自在に支持したレール１４と、上記スライド機構９とが取り付けられ、これらが一体となって引出部１２，１４，９を構成している。この引出部１２，１４，９は、筐体１０本体内に設けられた上下一対の取付レール１３に沿って、筐体１０本体に対して引出し式に着脱自在となっている。また、引出部１ａは、電磁ロック等のロック機構により筐体１０本体に対して固定自在となっている。このロック機構は、筐体１０外部から操作可能に構成されている。
【００４６】
〈払出し機の動作〉
次に、本実施形態の景品払出し機Ｋにおける景品の補充および払出しに関する動作について簡単に説明する。
【００４７】
図３には、補充位置にある前カセット４に景品Ｇを補充する状態が実線で示されている（図４の実線もこの状態に対応している）。以下、この状態での景品Ｇの補充動作を例にとって説明する。
【００４８】
まず、集積部２８に集積された景品Ｇが繰出し手段Ｄによって受入口２６へ１枚ずつ繰り出される（図５）。繰り出された景品Ｇは、第１搬送系Ｃ１によって払出し機の後方へ搬送される（図４および図５）。その際、景品Ｇの情報記録部Ｉ（図７）に記録された情報が情報読取り部Ｒによって読み取られる。次に、この景品Ｇは、第１搬送系Ｃ１から第２搬送系Ｃ２（この場合は、図３および図４における前側の第２搬送系Ｃ２）に受け渡される。
【００４９】
第１搬送系Ｃ１から受け渡された景品Ｇは、第２搬送系Ｃ２によって、係員から見て払出し機の右側（図４の下方）に向かって搬送される。第２搬送系Ｃ２で搬送される景品Ｇは、読取り部Ｒで読み取られた情報に基づいて、選別手段Ｓ（Ｓ１，Ｓ２，Ｓ３）で種類別に選別される。
【００５０】
すなわち、図４において、当該景品Ｇが５０００円景品であった場合は最も上流側に位置する選別手段Ｓ１によって、１０００円景品であった場合は次位の選別手段Ｓ２によって、２００円景品であった場合は最も下流側に位置する選別手段Ｓ３によって、それぞれ選別され、対応する投出ユニット１−１，１−２，１−３の前カセット４に収納される。具体的には、上述したように、対応する選別手段Ｓ１，Ｓ２，Ｓ３の選別孔ｓ１（図６）から落下した景品Ｇが、対応する前カセット４内において補充用リフト機構６’のリフト板６０上に集積されて行く（図６）。このリフト板６０は、載置される景品が少ない状態では選別機構Ｓに近い位置で待機し、載置される景品の枚数に応じて順次下降下し、景品の落下量をほぼ一定に保つように制御される。
【００５１】
次に、図３には、投出位置にある後カセット４より景品Ｇを投出する状態が実線で示されている。以下、この状態での景品Ｇの投出動作を例にとって説明する。
【００５２】
まず、後カセット４内の景品Ｇは、最上位のものが（受入部１６を通って）繰出し機構７に対応した高さに達するまで、投出用リフト機構６によって持ち上げられる。そして、まず最上位の景品Ｇが、繰出し機構７によって保留部１８内に繰り出されて支持板８０上に載置される。一度に２枚以上の景品Ｇを投出する場合は、景品Ｇの投出用リフト機構６による上昇と繰出し機構７による繰り出しとが繰り返され、必要な枚数の景品Ｇが保留部１８内に集積（一時保留）される。
【００５３】
その後、スライド蓋３０が景品通路２６の開口部を開放するように前方へ引き込まれた状態で、支持板８０上の景品Ｇが上板２２上の高さに達するまでエレベータ機構８によって持ち上げられる。次に、送出し機構３が、景品通路２６の開口部を閉鎖するようにスライド蓋３０を後方へスライドさせることで、支持板８０上の景品Ｇが上板２２上に押し出され、当該景品Ｇの投出（払出し）が完了する。その後、支持板８０が待機位置まで降下するようにエレベータ機構８が作動し、次の投出動作に備える。
【００５４】
《作用効果》
次に、以上のように構成された本実施形態の景品払出しシステムの作用効果について説明する。
【００５５】
本実施形態によれば、集積部２８から受入口２６を通じて受け入れた景品Ｇが各投出ユニット１のカセット４に自動的に補充される。また、補充された景品Ｇおよび払い出された景品Ｇの種類別の数量も、それぞれ受入景品情報および払出景品情報として記憶部１０２に自動的に記録される。そして、記憶部１０２に記録された受入景品情報および払出景品情報に基づいて、主制御部１００で、各投出ユニット１のカセット４に収納されている景品Ｇの種類別の在庫数が算出される。従って、各投出ユニット１のカセット４に収納されている景品Ｇの種類別の在庫数を随時確認することができる。このように、景品Ｇの補充時に自動的に記録される受入景品情報に基づいて在庫管理を行うことで、効率的で信頼性の高い在庫管理を行うことが可能となる。
【００５６】
また、いずれかの投出ユニット１のカセット４における在庫数が所定の最低基準値を下回った場合に、その旨を報知手段で外部に報知して景品の補充を促すことで、営業中の在庫不足等を防止することができる。
【００５７】
さらに、集積部２８に集積した複数の景品Ｇを１つずつ繰り出して補充できるようにしたので、景品補充の作業効率を向上させることができる。
【００５８】
《変形例》
（１）本発明の算出手段等を含む制御系は、景品払出し機Ｋの制御ユニットＵのみならず、ＰＯＳ端末Ｐや管理コンピュータＭの制御部分の一部ないし全部を含む任意の組合せによって構成することもできる。また、本発明の記録手段や計数手段に対応する構成を、景品払出し機Ｋに代えて、或いはこれに加えて、ＰＯＳ端末Ｐや管理コンピュータＭに設けてもよい。
【００５９】
（２）本発明の景品払出しシステムは、ＰＯＳ端末Ｐや管理コンピュータＭの少なくとも一方を省略しても構成可能である。
【００６０】
（３）本発明の情報記録部および読取り手段は、例示されたＲＦＩＤ形式の情報記録部Ｉおよび読取り部Ｒには限定されない。すなわち、景品の種類を特定可能な情報を記録および読取り可能なものであれば、光学読取り式、磁気記録式その他の任意形式のものを用いることができる。
【００６１】
（４）本発明が対象とする景品は、上述した矩形のカード状のものに限定されず、円盤状、棒状等の任意の形状とすることができる。
【００６２】
（５）本発明の繰出し手段は、上述したベルト式のものには限定されず、ローラ式その他の任意の構成のものを用いることができる。
【００６３】
（６）上記実施形態では、集積部２８から繰出し手段Ｄによって景品Ｇを１枚ずつ繰り出すように構成したが、これらの集積部および繰出し手段を省略して、景品Ｇを１枚ずつ手差しで挿入するように構成してもよい。
【００６４】
（７）本発明の搬送手段は、上述したベルト式の搬送系Ｃ１，Ｃ２による構成には限定されず、ローラ式その他の任意の形態を採ることができる。
【００６５】
（８）本発明の選別手段は、上述した揺動式の開閉板ｓ２を用いるものには限定されず、水平にスライドする支持板を用いるもの等、他の任意の構成を採ることができる。
【００６６】
（９）本発明の景品払出しシステムは、さらに景品の真偽判定を行うように構成してもよい。例えば、情報読取り部Ｒによって景品Ｇの真偽判定を行えるようにし、偽景品と判定された場合に報知手段で報知したり、当該景品Ｇを第１搬送系Ｃ１からリジェクトボックスに排出したりするように構成してもよい。
【００６７】
（１０）本発明の景品払出しシステムは、同一種類の景品を多数補充するような場合には、景品Ｇを種類別に選別する機能を一時停止できるように構成してもよい。すなわち、予め第２搬送系Ｃ２で搬送される全ての景品Ｇが所定の選別部Ｓで選別される状態に固定しておくことで、搬送速度を高く設定することが可能となり、より迅速な補充作業を行うことができる。
【図面の簡単な説明】
【００６８】
【図１】本発明による景品払出しシステムの一実施形態を示すブロック図。
【図２】図１に示した景品払出しシステムの景品払出し機における制御系を示すブロック図。
【図３】図１に示した景品払出し機の構造を示す縦断面図。
【図４】図３に示した景品払出し機を模式的に示す上部水平断面図。
【図５】図３に示した景品払出し機の繰出し手段および第１搬送系を模式的に示す断面図。
【図６】図３に示した景品払出し機の第２搬送系および選別手段を模式的に示す断面図。
【図７】図１に示した景品払出しシステムが取り扱う景品の例を示す斜視図。
【符号の説明】
【００６９】
Ｇ  特殊景品
Ｉ  情報記録部
Ｍ  管理コンピュータ
Ｐ  ＰＯＳ端末
Ｋ  景品払出し機
Ｕ  制御ユニット
１００  主制御部（算出手段）
１０１  通信部
１０２  記憶部（記録手段）
１０３  計数部（計数手段）
Ｒ  情報読取り部（読取り手段）
Ｔ  払出し手段
１  投出ユニット（収納部＋払出し手段）
１０  筐体
２  キャビネット
２４  表示・操作部
２４ａ  係員用表示部（報知手段）
２６  受入口（受入部）
２８  集積部
Ｄ  繰出し手段
Ｃ  搬送手段
Ｃ１  第１搬送系
Ｃ２  第２搬送系
Ａ  到達検知部
Ｓ（Ｓ１，Ｓ２，Ｓ３）  選別手段
ｓ１  選別孔
ｓ２  開閉板
３  送出し機構
４  カセット（収納部）
５  カセットキャリア
６  投出用リフト機構
６’  補充用リフト機構
７  繰出し機構
８  エレベータ機構
９  スライド機構
【図１】
2005131080.tif 000003
【図２】
2005131080.tif 000004
【図３】
2005131080.tif 000005
【図４】
2005131080.tif 000006
【図５】
2005131080.tif 000007
【図６】
2005131080.tif 000008
【図７】
2005131080.tif 000009